(57)【要約】【課題】  キャップ本体から注出中栓の離脱がなく、容器口部に装着後中の圧力や温度に影響なく、容器口部に注出中栓を残し、素材変形に頼らずキャップ本体のみを螺着脱出来る液体容器用キャップを提供する。【解決手段】  キャップ本体と注出中栓とでなり、キャップ本体は、スカートと頂部とのコーナー部に容器口部の環状シール部と容器口部への嵌合時にフランジ上面と接触する注出中栓係止突起とを有し、頂部内面に容器口部への嵌合時に注出中栓とシールするインナーリングを有して、更に環状シール部に容器口部の外側先端部をシールするアウターリングを形成して、注出中栓は、そのフランジ外周に環状シール部と係止する薄肉係止部を形成し、フランジ下方の筒状体中腹部外周に容器口部内周と係止する環状の係止突部を形成して、フランジ下面が容器口部への嵌合時にその天面に当接させることで、上記課題を達成できる。【選択図】    図２
2005035623.tif 000002
【特許請求の範囲】
【請求項１】
キャップ本体と、上端部近傍にフランジを有する筒状体の注出中栓とからなる液体容器
用キャップであり、
前記キャップ本体は、頂部周縁から垂下し内周面に容器口部に螺合する螺条が形成され
たスカートを有しており、該スカートと前記頂部とのコーナー部内面には、内方に突出し
て容器口部をシールする環状シール部と該環状シール部より径方向内方で容器口部への嵌
合時に前記フランジ上面と接触する注出中栓係止突起とを有し、前記頂部内面には、容器
口部への嵌合時に注出中栓の内周とシール可能にしたインナーリングを有しており、前記
環状シール部には、容器口部の外側先端をシールする環状のアウターリングが形成されて
おり、
前記注出中栓には、前記フランジ外周に前記環状シール部と係止する薄肉係止部が形成
され、前記フランジ下方の筒状体中腹部外周に容器口部内周と係止する環状の係止突部が
形成され、前記フランジ下面は、容器口部への嵌合時に容器口部天面に当接するように形
成されていることを特徴とする液体容器用キャップ。
【請求項２】
前記環状シール部には、前記アウターリングの上方に位置して容器口部の外側コーナー
部をシールするコーナーシール部と、該コーナーシール部の上方に位置して容器口部の天
面をシールする天面シール部と、が形成されている請求項１記載の液体容器用キャップ。
【請求項３】
前記注出中栓の筒状体上方内周にキャップ本体のインナーリングの外周との間にクリア
ランスを保持して突条が形成されており、該突条は、容器口部への嵌合時にインナーリン
グ外周面に圧接状態で係止するように形成されている請求項１または２記載の液体容器用
キャップ。
【発明の詳細な説明】
【技術分野】
【０００１】
本発明は、陽圧状態に対応出来る注出中栓を有した液体容器用キャップに関するもので
あって、より詳しくは、キャップ本体に注出中栓をセットする段階での注出中栓の離脱が
なく、容器口部に装着したあと容器内の圧力や温度にほとんど影響されずに、容器口部に
注出中栓を残した状態で、注出中栓の素材変形だけに頼らないで、キャップ本体のみを容
器口部から自在に螺脱及び螺着することが出来る液体容器用キャップに関する。
【背景技術】
【０００２】
液体容器用キャップは、調味料、食用油及び飲料など（以下、「調味料等」という）を
収容する容器に使用され、その多くは、製作上及び素材コストの面から主にプラスチック
製である。そして、このプラスチック製の液体容器用キャップは、容器口部に強く螺着し
て液密としその状態を維持して、更に注出中栓を備えて容器口部に嵌め込み、調味料等の
液切れを良好にしている。その上に、この液体容器用キャップは、タンパーエビデント機
構を備え、一旦開封するとその事実が残り、各種のいたずらを防止できるようにしている
のも多くある。
【０００３】
上記の容器口部に注出中栓を嵌め込み、調味料等の液切れを良好にした液体容器用キャ
ップとして、以下のものがある。
【特許文献１】実用新案登録第２５１０５０３号公報  特許文献１によれば、図１５、１６に示すように、液体容器用キャップａは、キャップ本体ｂと、フランジｃ付の筒状の注出中栓ｄとの組み合わせからなる。キャップ本体ｂは、倒皿状に形成すると共にスカートｅの内側にネジ溝ｆを形成し、このネジ溝ｆの上方にネジ溝ｆを刻設した螺旋方向の延長線上に位置するように円周に沿って複数の係止爪ｇを形成してなる。注出中栓ｄは、容器口部の内径に合致する大きさとした筒胴部ｈの上端にフランジｃを張り出して形成し、係止爪ｇの高さはネジ溝ｆの高さよりも高くなるように形成し、且つフランジｃはその外周部がキャップ本体ｂのスカートｅの内側上端部に形成した係止爪ｇに嵌合出来る長さの外径寸法を有するように形成したものである。そして、キャップ本体ｂの下面から内部に注出中栓ｄのフランジｃを強制的に押し込めば、フランジｃの外周部がネジ溝ｆを乗り越えながら瞬時に係止爪ｇに達して正確に係止出来る。容器内の液体を取り出すには、キャップ本体ｂを螺脱すればよく、キャップ本体ｂは係止爪ｇ、容器口部のネジ山及びフランジｃをガイドとしながら、回転して取り外せるようになり、特別の操作を行わなくても注出中栓ｄは容器口部に残留して、液だれ防止の注出中栓としての機能を全うする。
【発明の開示】
【発明が解決しようとする課題】
【０００４】
上記液体容器用キャップａは、キャップ本体ｂ内に注出中栓ｄのフランジｃを強制的に
押し込めば、フランジｃの外周部がネジ溝ｆを乗り越え瞬時に係止爪ｇに係止出来るが、
容器内が陽圧になるものは、係止部分の密封性が低下して対応が困難となる。また、容器
内の液体を取り出す際、容器口部からキャップ本体ｂを螺脱する必要があり、それにはキ
ャップ本体ｂの係止爪ｇが、容器口部に嵌合している注出中栓ｄのフランジｃの外周部を
係脱し、且つキャップ本体ｂのネジ溝ｆはフランジｃの外周部を乗り越えなければならな
い。したがって、注出中栓ｄが共外れしない条件は、容器口部の内周面と注出中栓ｄの筒
胴部ｈの外周面との接触摩擦力に頼ることになる。すなわち、キャップ本体ｂの係止爪ｇ
がフランジｃの外周部を係脱する際の抵抗及びキャップ本体ｂのネジ溝ｆがフランジｃの
外周部を乗り越える際の抵抗は、キャップ本体ｂの螺脱時、常に上記接触摩擦力よりも小
さくなければならない。
【０００５】
ところが、この特許文献１において、注出中栓ｄの筒胴部ｈは、容器口部の内径に合致
する大きさとしているため、上記の接触摩擦力は期待できず、注出中栓ｄが共外れする可
能性が極めて高いことになる。加えて、キャップ本体ｂの係止爪ｇから係止及び係脱した
り、ネジ溝ｆを乗り越えたりするのに、注出中栓ｄのフランジｃの外周部の素材変形にの
み頼るから負担が大きく、更にフランジｃの外周部に液切れするための機能を持たしてい
るから、この注出中栓ｄは液だれ防止の機能を全うすることが困難である。
【０００６】
そこで、本発明の目的は、キャップ本体に注出中栓のセット段階での注出中栓の離脱が
なく、容器口部に装着したあと容器内の圧力や温度にほとんど影響されずに、容器口部に
注出中栓を残した状態で、注出中栓の素材変形だけに頼らないで、キャップ本体のみを容
器口部から自在に螺脱及び螺着することが出来る液体容器用キャップを提供することにあ
る。
【課題を解決するための手段】
【０００７】
本発明は、上記目的を達成するために提案されたものであって、下記の構成からなるこ
とを特徴とするものである。
すなわち、本発明によれば、キャップ本体と、上端部近傍にフランジを有する筒状体の
注出中栓とからなる液体容器用キャップであり、前記キャップ本体は、頂部周縁から垂下
し内周面に容器口部に螺合する螺条が形成されたスカートを有しており、該スカートと前
記頂部とのコーナー部内面には、内方に突出して容器口部をシールする環状シール部と該
環状シール部より径方向内方で容器口部への嵌合時に前記フランジ上面と接触する注出中
栓係止突起とを有し、前記頂部内面には、容器口部への嵌合時に注出中栓の内周とシール
可能にしたインナーリングを有しており、前記環状シール部には、容器口部の外側先端を
シールする環状のアウターリングが形成されており、前記注出中栓には、前記フランジ外
周に前記環状シール部と係止する薄肉係止部が形成され、前記フランジ下方の筒状体中腹
部外周に容器口部内周と係止する環状の係止突部が形成され、前記フランジ下面は、容器
口部への嵌合時に容器口部天面に当接するように形成されていることを特徴とする液体容
器用キャップが提供される。
【０００８】
また、本発明によれば、前記環状シール部には、前記アウターリングの上方に位置して
容器口部の外側コーナー部をシールするコーナーシール部と、該コーナーシール部の上方
に位置して容器口部の天面をシールする天面シール部と、が形成されている上記液体容器
用キャップが提供される。
【０００９】
また、本発明によれば、前記注出中栓の筒状体上方内周にキャップ本体のインナーリン
グの外周との間にクリアランスを保持して突条が形成されており、該突条は、容器口部へ
の嵌合時にインナーリング外周面に圧接状態で係止するように形成されている上記液体容
器用キャップが提供される。
【発明の効果】
【００１０】
本発明によれば、キャップ本体の下面から内部に注出中栓のフランジの薄肉係止部を押
し込み、キャップ本体の環状シール部に係止すれば、容器口部にキャップ本体を螺着させ
る際、注出中栓はキャップ本体から離脱せずに容器口部に嵌着できる。同時に、注出中栓
が内側に若干移動してキャップ本体のインナーリングの外周と注出中栓の内周とがシール
され、注出中栓の係止突部と容器口部の内周面とがシールされ、更に、アウターリングが
外側に若干移動してキャップ本体のアウターリングと容器口部の外側先端とがシールされ
、加えて、注出中栓のフランジ上面とキャップ本体の注出中栓係止突起とが接触され、フ
ランジ下面と容器口部の天面とが接触されている。
また、容器口部からキャップ本体を螺脱させる際、前述したように、注出中栓が内側に
若干移動していることに加えて、キャップ本体のアウターリングも外側に移動していて、
注出中栓のフランジの薄肉係止部はキャップ本体の環状シール部から係脱していて、キャ
ップ本体の環状シール部は注出中栓のフランジの薄肉係止部に当たらず、容器口部からキ
ャップ本体のみをスムーズに螺脱させることが出来る。したがって、キャップ本体に注出
中栓をセットする段階での注出中栓の離脱がなく、容器口部に装着したあと容器内の圧力
や温度にほとんど影響されないで、容器口部に注出中栓を残置した状態で、注出中栓の素
材変形だけに頼らないで、キャップ本体のみを容器口部から自在に螺脱及び螺着すること
が出来る効果がある。
【００１１】
また、キャップ本体の環状シール部のコーナーシール部及びその上方の天面シール部に
より容器口部の外側コーナー部及び天面をシールすることにより、キャップ本体と容器口
部とのシールがより確実になる効果がある。
【００１２】
さらに、注出中栓の筒状体上方内周の突条はキャップ本体のインナーリングの外周との
間にクリアランスがあることにより、キャップ本体の環状シール部に注出中栓のフランジ
の薄肉係止部を挿入し易く、容器口部にキャップ本体及び注出中栓を装着した時注出中栓
の突条がインナーリング外周面に圧接状態で係止して、キャップ本体と注出中栓とのシー
ル性が上がるため、キャップ本体に注出中栓を係止し易く、装着時にキャップ本体と注出
中栓とのシール性がより確実になる効果がある。
【発明を実施するための最良の形態】
【００１３】
以下に、図面を参照して本発明を実施するための最良の形態を説明する。
【実施例】
【００１４】
図１は本発明の液体容器用キャップを容器の口部に装着した状態の断面図、図２は本発
明の液体容器用キャップを容器口部にキャッピングする工程を示す要部の断面図である。
図において、液体容器用キャップ１は、容器２の口部３（以下、口部３を示す場合に容
器口部３と称する）に螺合するキャップ本体４と、上端部近傍にフランジ５を有する筒状
体の注出中栓６とからなり、このキャップ本体４は、頂部７周縁から垂下し内周面に容器
口部３に螺合する螺条８が形成されたスカート９を有しており、このスカート９と頂部７
とのコーナー部内面には、内方に突出して容器口部３をシールする環状シール部１０とこ
の環状シール部１０より径方向内方で容器口部３へのキャッピング時にフランジ５上面と
接触する注出中栓係止突起１１とを有し、頂部７内面には、容器口部３へのキャッピング
時に注出中栓６の内周とシール可能にしたインナーリング１２を有しており、環状シール
部１０には、容器口部３の外側先端をシールする環状のアウターリング１３が形成されて
おり、一方、注出中栓６には、フランジ５外周に環状シール部１０と係止する薄肉係止部
１４が形成され、フランジ５下方の筒状体中腹部外周に容器口部３内周と係止する環状の
係止突部１５が形成され、フランジ５下面は、容器口部３への嵌合時に容器口部３天面に
当接するように形成されているものである。
【００１５】
前記容器２は、形状・材質ともに特に限定がないが、容器２の内容物が、通常、調味料
、食用油及び飲料などであることから、これらの用途に適したポリエチレン、ポリプロピ
レン、ポリエチレンテレフタレート或はガラスなどの材質が用いられ、形状はボトルタイ
プのものが一般的である。この実施例では、容器２は円筒形状のペットボトル２０であり
、容器口部３、肩部、胴部及び底部からなり、容器口部３には鍔２１があり、その上にキ
ャップ本体４の螺条８に沿う螺条２２がありキャップ本体４が螺着されるようになってい
る。
【００１６】
前記キャップ本体４は、そのスカート９の外周面に軸方向のナール２３が形成され、最
初の開封時及び螺着脱時のすべり止めとし、更にそのスカート９の下端に不正開封防止の
タンパーエビデント機構２４を介在させてバンド２５を設けてあり、このバンド２５とキ
ャップ本体４とを一体構成としている。このタンパーエビデント機構２４は、キャップ本
体４のスカート９とその下方のバンド２５とを易破断性のつなぎリブ２６にて接続すると
共に、スカート９及びバンド２５にストッパー２７を設けて、これらを螺着方向（閉栓方
向）に同調回転させて、容器口部３にキャップ本体４を螺着（閉栓）し、逆に、キャップ
本体４を螺脱方向（開栓ないし開封方向）に回転させれば、容器口部３にバンド２５を残
してつなぎリブ２６を破断することになり、これによって不正開封が直ちにわかり、キャ
ップ本体４を容器口部３から螺脱（開栓）することができるものである。
【００１７】
なお、前記キャップ本体４の環状シール部１０には、前記アウターリング１３の上方に
位置して容器口部３の外側コーナー部をシールするコーナーシール部２８と、このコーナ
ーシール部２８の上方に位置して容器口部３の天面をシールする天面シール部２９と、が
形成されている。これらコーナーシール部２８及びその上方の天面シール部２９により、
容器口部３の外側コーナー部及び天面をシールするから、キャップ本体４と容器口部３と
のシール性がより確実になる。
【００１８】
前記注出中栓６は、容器口部３に嵌合されて、調味料等の液切れを良好にして液だれを
防ぐためのものであり、その筒部１６の外周面に既述の環状の係止突部１５が形成されて
おり、さらに、筒部１６の上方にフランジ５が形成され、そのフランジ５外周に薄肉係止
部１４が形成されている。またフランジ５の上方には、ラッパ状に広がった注ぎ口３０を
有し、更に筒部１６の底部に孔３１が開いている。そして、この注出中栓６の筒部１６上
部内周には環状の突条３２が形成されており、この突条３２は、キャップ本体４内に注出
中栓６を嵌め込んだ時に、キャップ本体４のインナーリング１２の外周との間にクリアラ
ンス３３を保持するように形成されており、加えて、この突条３２は、容器口部３への嵌
合時にインナーリング１２外周面に圧接状態で係止するように形成されている。したがっ
て、この突条３２はインナーリング１２の外周との間にクリアランス３３があることによ
って、キャップ本体４の環状シール部１０に注出中栓６のフランジ５の薄肉係止部１４を
挿入し易く、更に、容器口部３にキャップ本体４及び注出中栓６を装着した時、この突条
３２がインナーリング１２外周面に圧接状態で係止して、キャップ本体４と注出中栓６と
のシール性が向上し、これらのシールがより確実になる。
【００１９】
次に、上記構成になる液体容器用キャップ１の利用方法について説明する。
まず、内容物である調味料等に適合する容器２並びにこれに対応した液体容器用キャッ
プ１を構成するキャップ本体４とバンド２５との一体物及び注出中栓６を選択する。次に
、キャップ本体４の下面から内部に注出中栓６を押し込むと、注出中栓６のフランジ５の
薄肉係止部１４の変形により簡単にキャップ本体４の環状シール部１０に係止することが
出来、あとのキャッピングラインでキャップ本体４から注出中栓６が脱落することがない
。容器２内に内容物を充填し、そのあとキャッピングラインで、容器口部３にキャップ本
体４とバンド２５との一体物を強く螺着すると共に、それにより容器口部３にキャップ１
を嵌合して、液密とする。その際、本体キャップ４のスカート部９及びバンド２５に設け
てあるストッパー２７により、これらを螺着方向（閉栓方向）に同調回転させるから、タ
ンパーエビデント機構２４の易破断性のつなぎリブ２６を破断することなく、容器口部３
にキャップ本体４を螺着（閉栓）することができる。なお、上記キャッピングラインでの
工程は次の通りである。
【００２０】
図８に示すキャップ本体４とバンド２５との一体物内に、注出中栓６を係止させたもの
を、図９に示すように、容器口部３の先端にあてがい嵌めて螺合して行くと、キャップ本
体４のスカート９と注出中栓６の筒部１６との間に容器口部３の先端が入り込み、筒部１
６の外周面に当接する（図１０参照）。さらに、螺合してゆくと、容器口部３の内側端部
が筒部１６の環状の係止突部１５に当たり、筒部１６に対し内側方向の力Ａが働き、薄肉
係止部１４は環状シール部１０から係脱し、且つ突条３２がインナーリング１２に当たり
、容器口部３の外側端部がキャップ本体４のアウターリング１３に当接する（図１１参照
）。さらに、図１２に示すように、アウターリング１３に対し外側方向の力Ｂが働いて、
薄肉係止部１４は環状シール部１０から完全に係脱し、環状シール部１０のコーナーシー
ル部２８により容器口部３の外側コーナー部をシールするようになって、図１３、１４の
状態になると、環状シール部１０の天面シール部２９により容器口部３の天面をシールす
る。
【００２１】
すなわち、図１３、１４の状態では、注出中栓６が内側に若干移動して、キャップ本体
４のインナーリング１２と注出中栓６の内周面の突条３２とがシールされ、注出中栓６の
係止突部１５と容器口部３の内周面とがシールされて、さらに、容器口部３が外側に若干
移動してキャップ本体４のアウターリング１３と容器口部３の外側先端とがシールされ、
環状シール部１０のコーナーシール部２８及び天面シール部２９により、容器口部３の外
側コーナー部及び天面をシールする。加えて、注出中栓４のフランジ５上面とキャップ本
体４の注出中栓係止突起１１とがシールされ、フランジ５下面と容器口部３の天面とがシ
ールされて、容器口部３とキャップ本体４及び注出中栓６と密封性が完全になる。その一
方で、注出中栓６の薄肉係止部１４はキャップ本体４の環状シール部１０から係脱してい
るから、キャップ本体４と注出中栓６との係止状態は解消されている。このようにして容
器口部３に対するキャッピングが終了する。
【００２２】
使用に際しては、キャップ本体４のナール２３を利用して、手指にてキャップ本体４を
開封方向に回すと、タンパーエビデント機構２４の易破断性のつなぎリブ２６を切断し、
キャップ本体４と注出中栓６との係止状態は解消されているから、容器口部３からキャッ
プ本体４を容易に外すことができ、注出中栓６の注ぎ口３０から調味料等を取り出すこと
ができる。容器２内に調味料等が残留していれば再び容器口部３にキャップ本体４を螺着
することができ、保存が容易となる。一方、容器口部３からキャップ本体４を一度外すと
、バンド２５が容器口部３の鍔２１まで落下するから、もし上記の螺脱が不正開封であれ
ば、正当開封者はバンド２５が鍔２１に落下していることを目視でき且つ易破断性のつな
ぎリブ２６を切断していることを容易に目視することもでき、不正開封の事実を直ぐにし
かも明確に認識でき、危険を容易に回避できる。
【００２３】
以上、本発明の実施例を説明したが、具体的な構成はこれに限定されず、本発明の要旨
を逸脱しない範囲での変更や追加は適宜になし得ることは言うまでもない。
【産業上の利用可能性】
【００２４】
本発明の液体容器用キャップは、液体を収容する容器一般に利用可能であるが、容器内
の温度や圧力に変動があり、特に陽圧になるような場合に利用可能性が極めて高くなる。
【図面の簡単な説明】
【００２５】
【図１】本発明の液体容器用キャップを容器口部に装着した状態の断面図である。
【図２】本発明の液体容器用キャップを容器口部にキャッピングする工程を示す要部の断面図である。
【図３】本発明の液体容器用キャップのキャップ本体の側面図である。
【図４】図３の断面図である。
【図５】本発明の液体容器用キャップの注出中栓の側面図である。
【図６】図５の断面図である。
【図７】図５の平面図である。
【図８】本発明の液体容器用キャップにおけるキャップ本体内に注出中栓を装着した状態の断面図である。
【図９】本発明の液体容器用キャップを容器口部にキャッピングする工程１を示す断面図である。
【図１０】同じくキャッピング工程２を示す断面図である。
【図１１】同じくキャッピング工程３を示す断面図である。
【図１２】同じくキャッピング工程４を示す断面図である。
【図１３】同じくキャッピング工程５を示す断面図である。
【図１４】図１３の要部を拡大した断面図である。
【図１５】従来例の液体容器用キャップの断面図である。
【図１６】従来例の液体容器用キャップの裏面図である。
【符号の説明】
【００２６】
１，ａ                    液体容器用キャップ
２                        容器
３                        口部
４，ｂ                    キャップ本体
５，ｃ                    フランジ
６，ｄ                    注出中栓
７                        頂部
８                        螺条
９，ｅ                    スカート
１０                      環状シール部
１１                      注出中栓係止突起
１２                      インナーリング
１３                      アウターリング
１４                      薄肉係止部
１５                      係止突起
１６                      筒部
２０                      ペットボトル
２１                      鍔
２２                      螺条
２３                      ナール
２４                      タンパーエビデント機構
２５                      バンド
２６                      つなぎリブ
２７                      ストッパー
２８                      コーナーシール部
２９                      天面シール部
３０                      注ぎ口
３１                      孔
３２                      突条
３３                      クリアランス
ｆ                        ネジ溝
ｇ                        係止爪
ｈ                        筒胴部
【図１】
2005035623.tif 000003
【図２】
2005035623.tif 000004
【図３】
2005035623.tif 000005
【図４】
2005035623.tif 000006
【図５】
2005035623.tif 000007
【図６】
2005035623.tif 000008
【図７】
2005035623.tif 000009
【図８】
2005035623.tif 000010
【図９】
2005035623.tif 000011
【図１０】
2005035623.tif 000012
【図１１】
2005035623.tif 000013
【図１２】
2005035623.tif 000014
【図１３】
2005035623.tif 000015
【図１４】
2005035623.tif 000016
【図１５】
2005035623.tif 000017
【図１６】
2005035623.tif 000018